(57)【特許請求の範囲】
【請求項１】
モニタ画面を有し、ゲートウェイ装置及び該ゲートウェイ装置を通じて接続されるウェブサーバ装置からダウンロードした生活情報画面を表示する機能を有した住宅情報盤において、
生活情報画面は、前記ゲートウェイ装置に準備されているトップ画面と、前記ウェブサーバ装置に準備されているサブ画面とからなり、かつ該トップ画面は該サブ画面へのリンクを含んでおり、
前記住宅情報盤は、
複数の言語からモニタ画面の表示言語の種別を選択する言語操作部と、
前記ゲートウェイ装置及びウェブサーバ装置と通信するブラウザ部とを備え、
所定操作を受付けると、前記ブラウザ部によって、前記ゲートウェイ装置に生活情報画面のトップ画面の要求信号を言語の種別と共に送信する住宅情報盤。
【請求項２】
請求項１に記載の住宅情報盤に接続されるゲートウェイ装置であって、
住宅情報盤で選択可能な表示言語の種別のそれぞれに対応して生活情報画面のトップ画面を蓄積し、
住宅情報盤から生活情報画面の要求信号を受信すると、該表示言語の種別に対応した生活情報画面のトップ画面を選択して返信するゲートウェイ装置。
【請求項３】
モニタ画面を有し、ゲートウェイ装置及び該ゲートウェイ装置を通じて接続されるウェブサーバ装置からダウンロードした生活情報画面を表示する機能を有した住宅情報盤において、
生活情報画面は、前記ゲートウェイ装置に準備されているトップ画面と、前記ウェブサーバ装置に準備されているサブ画面とからなり、かつ該トップ画面は該サブ画面へのリンクを含んでおり、
前記住宅情報盤は、
複数の言語からモニタ画面の表示言語の種別を選択する言語操作部と、
前記ゲートウェイ装置及びウェブサーバ装置と通信するブラウザ部とを備え、
前記言語操作部で表示言語の種別が選択されると、前記ブラウザ部によって、前記ゲートウェイ装置に接続して、選択された表示言語の種別を事前登録させる一方、
所定操作を受付けると、前記ブラウザ部によって、前記ゲートウェイ装置に接続して、生活情報画面のトップ画面の要求信号を送信する住宅情報盤。
【請求項４】
請求項３に記載の住宅情報盤に接続されるゲートウェイ装置であって、
住宅情報盤で選択可能な表示言語の種別のそれぞれに対応した生活情報画面のトップ画面を蓄積し、
生活情報盤毎に表示言語の種別を登録する言語種別登録部を備えており、
住宅情報盤から生活情報画面のトップ画面の要求信号を受信すると、該生活情報盤によって登録された表示言語の種別を特定して、該表示言語の種別に対応した生活情報画面のトップ画面を選択して返信するゲートウェイ装置。
【請求項５】
請求項１または３に記載された生活情報盤を住戸インターホンとして、インターホン回線によってロビーインターホンに接続してなる集合住宅用インターホンシステムであって、
前記住戸インターホンは、前記インターホン回線と前記ゲートウェイ装置とを介して前記ウェブサーバ装置に接続する集合住宅用インターホンシステム。
【発明の詳細な説明】
【技術分野】
【０００１】
本発明は、モニタ画面を有し、所定のウェブサーバ装置からダウンロードした生活情報画面を表示する機能を有した住宅情報盤、そのウェブサーバ装置、および集合住宅用インターホンシステムに関する。
【背景技術】
【０００２】
上記のようなインターホンシステムの従来技術の例として、引用文献１には、広域ネットワークを通じて提供されるウェブコンテンツを予めインターホン親機のメモリに格納しておき、住人がインターホン親機に対して所定の操作を行ったときに前記メモリに格納しておいたウェブコンテンツをウェブブラウザで実行することにより文字や画像あるいは音声などを含むウェブコンテンツをモニタに表示することが記載されている。
【先行技術文献】
【特許文献】
【０００３】
【特許文献１】特開2010-177818号公報
【発明の概要】
【発明が解決しようとする課題】
【０００４】
ところで近年、集合住宅にも外国人が入居することがあるが、その中には日本語が理解できない者もいるので、インターホン親機の表示言語の種別を住戸人によって自由に選択できるようにしておけば親切である。しかしながら、インターホン親機に予め用意されている表示画面には、表示言語の種別が異なるものを複数用意しておけばよいが、広域ネットワークを通じて提供されるウェブコンテンツの表示画面には、インターホン親機における表示言語の種別の選択を反映させるのが困難であった。
【０００５】
そこで本発明は、住宅情報盤で表示言語を選択すれば、その選択が、ウェブサーバからダウンロードして表示される生活情報の画面にも反映されるようにした住宅情報盤、ウェブサーバ装置、およびインターホンシステムを提供することを目的とする。
【課題を解決するための手段】
【０００６】
本発明は、モニタ画面を有し、ゲートウェイ装置及び該ゲートウェイ装置を通じて接続されるウェブサーバ装置からダウンロードした生活情報画面を表示する機能を有した住宅情報盤において、生活情報画面は、前記ゲートウェイ装置に準備されているトップ画面と、前記ウェブサーバ装置に準備されているサブ画面とからなり、かつ該トップ画面は該サブ画面へのリンクを含んでおり、前記住宅情報盤は、複数の言語からモニタ画面の表示言語の種別を選択する言語操作部と、前記ゲートウェイ装置及びウェブサーバ装置と通信するブラウザ部とを備え、所定操作を受付けると、前記ブラウザ部によって、前記ゲートウェイ装置に生活情報画面のトップ画面の要求信号を言語の種別と共に送信することを特徴とする。
【０００７】
また本発明は、前記住宅情報盤に接続されるゲートウェイ装置であって、住宅情報盤で選択可能な表示言語の種別のそれぞれに対応して生活情報画面のトップ画面を蓄積し、住宅情報盤から生活情報画面の要求信号を受信すると、該表示言語の種別に対応した生活情報画面のトップ画面を選択して返信することを特徴とする。
【０００８】
また本発明は、モニタ画面を有し、ゲートウェイ装置及び該ゲートウェイ装置を通じて接続されるウェブサーバ装置からダウンロードした生活情報画面を表示する機能を有した住宅情報盤において、生活情報画面は、前記ゲートウェイ装置に準備されているトップ画面と、前記ウェブサーバ装置に準備されているサブ画面とからなり、かつ該トップ画面は該サブ画面へのリンクを含んでおり、前記住宅情報盤は、複数の言語からモニタ画面の表示言語の種別を選択する言語操作部と、前記ゲートウェイ装置及びウェブサーバ装置と通信するブラウザ部とを備え、前記言語操作部で表示言語の種別が選択されると、前記ブラウザ部によって、前記ゲートウェイ装置に接続して、選択された表示言語の種別を事前登録させる一方、所定操作を受付けると、前記ブラウザ部によって、前記ゲートウェイ装置に接続して、生活情報画面のトップ画面の要求信号を送信することを特徴とする。
【０００９】
また本発明は、前記住宅情報盤に接続されるゲートウェイ装置であって、住宅情報盤で選択可能な表示言語の種別のそれぞれに対応した生活情報画面のトップ画面を蓄積し、生活情報盤毎に表示言語の種別を登録する言語種別登録部を備えており、住宅情報盤から生活情報画面のトップ画面の要求信号を受信すると、該生活情報盤によって登録された表示言語の種別を特定して、該表示言語の種別に対応した生活情報画面のトップ画面を選択して返信することを特徴とする。
【００１０】
また本発明は、生活情報盤を住戸インターホンとして、インターホン回線によってロビーインターホンに接続してなる集合住宅用インターホンシステムであって、前記住戸インターホンは、前記インターホン回線と前記ゲートウェイ装置とを介して前記ウェブサーバ装置に接続することを特徴とする。
【発明の効果】
【００１１】
本発明では、住宅情報盤のモニタ画面における表示言語の種別を住戸人が予め選択しておけば、ゲートウェイ装置及びウェブサーバ装置からダウンロードして表示される生活情報も、その選択された表示言語によって表示される。したがって日本語がわからない外国人でも、表示言語として例えば英語を選択しておけば、機能画面とは生活情報を切替え表示させたときにいずれも英語で表示されるので、その内容が理解でき、違和感を与えることも防止できる。
【図面の簡単な説明】
【００１２】
【図１】本発明を適用したインターホンシステムのブロック図である。
【図２】（ａ）、（ｂ）はそれぞれ日本語および英語による待機画面の表示例である。
【図３】設定画面の例である。
【図４】（ａ）、（ｂ）はそれぞれ日本語および英語による生活情報画面の表示例である。
【図５】生活情報画面の参照方法を説明する図である。
【図６】インターホンシステムの基本動作を示したフロー図である。
【図７】生活情報画面の参照方法の別例を説明する図である。
【図８】インターホンシステムの基本動作の別例を示したフロー図である。
【発明を実施するための形態】
【００１３】
本発明は、モニタ画面を有し、所定のウェブサーバ装置からダウンロードした生活情報画面を表示する機能を有した住宅情報盤であるが、この住宅情報盤は戸建て住宅用システムにも、集合住宅用システムにも適用できる。そこで以下では、本発明を集合住宅用インターホンシステムに適用した例を詳細に説明する。
【００１４】
図１に示すように、実施例のインターホンシステム１は、住戸インターホン１１をインターホン回線１７を通じてロビーインターホン１２に接続しており、インターホン回線１７には、住戸インターホン１１を広域ネットワーク２０上に設けられたウェブサーバ装置２１などの所望のサーバ装置に接続させるゲートウェイ装置１５を備えている。
【００１５】
またインターホンシステム１は、管理人室機１３、住戸インターホン１１とロビーインターホン１２との呼出、通話を制御する制御装置１４、居住者の帰宅を認証する認証装置１６などを備えている。
【００１６】
ここに住戸インターホン１１は、住宅情報盤として構成されており、ドアホン１１ａ以外にもセキュリティセンサ（図示なし）、照明機器や空調装置などの設備機器（図示なし）などが接続されている。そして基本的な構成要素として、図２（ａ）、図２（ｂ）に示すように、タッチパネルで構成されたモニタ画面１１ｂ、メッセージランプ１１ｃ、通話キー１１ｄ、通話部を形成するスピーカ１１ｅ、マイク１１ｆなどを備えている。
【００１７】
モニタ画面１１ｂは、各種画面、例えば呼出画面、セキュリティ画面、生活情報画面など各種情報を切替表示するが、特に本発明ではそれらの画面における表示言語として、住戸人によって所望の言語が選択できるようになっている。そのため住戸インターホン１１は、言語操作部１１ｇを備えており、そこで表示言語が選択されると、モニタ画面１１ｂには選択された表示言語で記載された各種情報が表示される。
【００１８】
例えば図２（ａ）は、表示言語として日本語が選択されているときの待機画面の例であり、図２（ｂ）は、表示言語として英語が選択されているときの待機画面の例である。この両者では、画面構成は共通しているが、文字表示の部分が、それぞれ選択された表示言語のものになっている。なお、選択可能な表示言語は、３言語以上あってもよい。
【００１９】
図２（ａ）、図２（ｂ）の待機画面にはいずれも現在時刻と、動作モードと、複数の操作キーとが配置されている。「在宅中」あるいは「at home」の文字は、動作モードとして、現在のセキュリティが警戒解除モードであることを示している。
【００２０】
「警報」あるいは「security」キーは、セキュリティセンサが異常を検知したときなどに表示色が切替わり、タッチ操作すれば、詳細なセキュリティ画面がポップアップ表示される。「お知らせ」あるいは「information」キーは、生活情報画面を表示させるためのキーである。「外出」あるいは「go out」キーはセキュリティを警戒モードにするためのキー、「在宅」あるいは「at home」はセキュリティを警戒解除モードにするためのキーである。「設定」あるいは「setting」キーは、住戸インターホン１１の機能設定画面をポップアップ表示させるためのキーである。
【００２１】
図３は、表示言語として日本語が選択されている場合に、「設定」キーのタッチ操作によって呼び出される設定画面の例である。設定画面は、「言語」、「表示」などの複数のタブによって切替えられる複数の画面からなっており、その中の「言語」画面によって表示言語が選択操作できるようになっている。つまり、この「言語」画面によって言語操作部１１ｇが構成されている。ここで日本または英語を選択操作して「OK」キーをタッチ操作すれば、選択した方の言語がモニタ画面１１ｂの表示言語として設定される。
【００２２】
また住戸インターホン１１は、ウェブサーバ装置２１に接続して生活情報画面をダウンロードするブラウザ部１１ｈも備えている。この生活情報画面も、後述するように、モニタ画面１１ｂの表示言語によって表示されるようになっている。
【００２３】
ロビーインターホン１２は、部屋番号などを表示する表示窓、部屋番号を指定したり呼出操作したりするための操作部、通話部を構成するスピーカ、マイク、来客を撮影するカメラ１２ａなど（いずれも図示なし）を備えている。
【００２４】
またロビーインターホン１２には、認証装置１６に接続される認証操作部１６ａを一体あるいは別体として付設しておくとよい。この場合、認証装置１６による認証が成功すれば、ロビー扉（図示なし）が自動的に解錠する。なお図ではロビーインターホン１２は１台であるが、住戸数に応じて複数台のロビーインターホン１２を設けることが望ましい。
【００２５】
管理人室機１３は、警報監視盤として構成されており、異常発生時に点灯する警報ランプ、タッチパネルで構成されたモニタ画面、部屋番号を入力するテンキーやメニューキーで構成された操作部、通話部となるハンドセット、警報を出力するスピーカ（いずれも図示なし）などを備えている。
【００２６】
制御装置１４は、住戸インターホン１１と、ロビーインターホン１２あるいは管理人室機１３との信号伝送を制御する装置であって、住戸インターホン１１、ロビーインターホン１２、管理人室機１３は、この装置に接続されている。
【００２７】
ゲートウェイ装置１５は、全ての住戸インターホン１１によって共用される装置であって、住戸インターホン１１のそれぞれと、ウェブサーバ装置２１など広域ネットワーク２０上の所望のサーバ装置との通信を中継する。この中継のための機能として、インターホン回線１７と、広域ネットワーク２０との間のプロトコル変換、アドレス変換などを行うことができる。
【００２８】
認証装置１６は、非接触式カードキーなどの認証媒体から読み取った認証情報と、登録されている認証情報とを対照して居住者を認証する装置であり、認証が成功したときには、認証操作部１６ａに対応した扉を解錠するようになっている。例えばロビーインターホン１２に付設されている認証操作部１６ａの場合はロビー扉を解錠するが、駐車場に設置されている認証操作部１６ａの場合は、駐車場通用扉（図示なし）を解錠する。
【００２９】
住戸インターホン１１と制御装置１４はデジタル式のインターホン回線１７によって接続されており、そこでは送信先、送信元のアドレスを指定したデジタル信号伝送が行われる。プロトコルの物理レイヤは任意であるが、本発明のためには論理レイヤでＴＣＰ／ＩＰを利用できるとよい。この場合、住戸インターホン１１のそれぞれには、固有のグローバルＩＰアドレスあるいはローカルＩＰアドレスが割り当てられる。また、制御装置１４とロビーインターホン１２あるいは管理人室機１３との信号伝送も同様である。なおインターホン回線１７は、一般的なツイストペアケーブルを用いればよいが、専用ケーブルを用いてもよい。
【００３０】
次いで、インターホンシステム１の基本動作を説明する。
【００３１】
インターホンシステム１における呼出、通信制御の基本機能、動作は従来システムと同様である。すなわちロビーインターホン１２で住戸番号を指定した呼出操作がなされると、制御装置１４によって、指定された住戸の住戸インターホン１１が呼び出される。呼び出された住戸インターホン１１は、チャイム音によって呼出報知する。そして住戸インターホン１１で通話キー１１ｄが操作されると、制御装置１４は、住戸インターホン１１とロビーインターホン１２との間に排他的な通話チャンネルを構成して、通話信号の伝送を許可する。なお、ロビーインターホン１２が複数ある場合は、それぞれの通話チャンネルは排他的に制御される。
【００３２】
更にロビーインターホン１２で呼出操作がなされてから通話チャンネルが解放されるまでの間、ロビーインターホン１２のカメラ１２ａが撮影した映像を住戸インターホン１１で表示するため、排他的な映像チャンネルが構成されて、ロビーインターホン１２から映像信号が伝送される。このようにすれば、訪問者の映像を住戸インターホン１１でモニタしながら対応できる。
【００３３】
また、インターホンシステム１は、警報監視システムとしても機能しており、その動作も従来と同様である。すなわち、住戸インターホン１１は、セキュリティセンサが異常発生を検知すると、警報画面を表示すると共に、スピーカ１１ｅから警報メッセージを出力する。また、住戸インターホン１１は、異常発生を管理人室機１３に通知する。管理人室機１３は、その通知を受信すると、警報を出力する。その後、管理人の操作に応じて、異常発生を通知してきた住戸インターホン１１や、その近隣の住戸インターホン１１から、避難メッセージなどを出力させることもできる。また、防災センターなどに異常発生を移報することもできる。
【００３４】
本発明の特徴的な構成として、住戸インターホン１１は、言語操作部１１ｇで選択された表示言語の種別を自機に登録して、その表示言語によって各種情報を表示するが、更に、ウェブサーバ装置２１からダウンロードして表示する生活情報画面も、その表示言語によって表示するようになっている。生活情報画面は、トップ画面とサブ画面からなるホームページとして構成するとよい。なお生活情報は、従来ロビーの掲示板に掲示されるような管理人からの通知事項、あるいは近隣店舗からのバーゲン情報など、生活に関連する一般的な情報である。
【００３５】
例えば図４（ａ）は、表示言語として日本語が選択されているときに表示される日本語生活情報のトップ画面の例であり、図４（ｂ）は表示言語として英語が選択されているときに表示される英語生活情報のトップ画面の例である。つまり、住戸インターホン１１は、表示言語として日本語が選択されているときは、待機画面として図２（ａ）のような画面を表示し、そこで情報キーが操作されると、図４（ａ）のような生活情報画面を表示する。また表示言語として英語が選択されているときには、待機画面として図２（ｂ）のような画面を表示し、そこで情報キーが操作されると、図４（ａ）のような生活情報画面を表示する。
【００３６】
例えば、図４（ａ）の画面には、日本語で表示された「地域」キー、「掲示板」キー、および「天気」キーが配置されており、それぞれ日本語の地域情報画面、掲示板画面、天気予報画面のリンクになっている。また図４の画面には、同様に、「area」キー、「bulletin board」キー、「weather」キーが配置されており、それぞれ英語の地域情報画面、掲示板画面、天気予報画面のリンクになっている。なお「終了」キー、「close」キーはこれらの画面を閉じるためのキーである。
【００３７】
なお住戸インターホン１１は、待機画面、警報画面など生活情報以外の画面を表示する際には、操作に応じて、自機の記憶部から、登録されている表示言語による画面情報を読出して表示する。そのため、住戸インターホン１１には、選択可能な表示言語の種別毎に、同一内容の画面情報が用意されている。
【００３８】
一方、生活情報の表示操作がなされた場合は、ブラウザ部１１ｈが起動されてウェブサーバ装置２１に接続し、表示言語の種別と共に、生活情報の要求信号を送信する。ウェブサーバ装置２１は、住戸インターホン１１で選択可能な表示言語の種別のそれぞれに対応して複数の生活情報画面を蓄積しており、住戸インターホン１１から生活情報画面の要求信号を表示言語の種別と共に受信すると、その種別に対応した生活情報画面を選択して返信する。
このように住戸インターホン１１のモニタ画面１１ｂにおける表示言語の種別を住戸人が予め選択しておけば、機能画面がその表示言語によって表示されると共に、ウェブサーバ装置２１からダウンロードして表示される生活情報も、その選択された表示言語によって表示される。したがって日本語がわからない外国人でも、表示言語として例えば英語を選択しておけば、機能画面と生活情報画面とを切替え表示させたときにいずれも英語で表示されるので、その内容が理解でき、違和感を与えることも防止できる。
【００３９】
なおウェブサーバ装置２１は、ゲートウェイ装置１５に兼用させてもよいし、広域ネットワーク２０上の特定のサーバ装置としてもよい。あるいは図５に示すように、また生活情報のトップ画面のみをゲートウェイ装置１５に準備しておき、サブ画面は広域ネットワーク２０上のウェブサーバ装置２１に準備しておいてもよい。
【００４０】
図５は、生活情報画面の参照方法を説明する図である。この例では、ゲートウェイ装置１５には、生活情報の日本語トップ画面と、英語トップ画面とが準備されており、ウェブサーバ装置２１には、日本語サブ画面と、英語サブ画面とが準備されている。住戸インターホン１１がブラウザ部１１ｈによってゲートウェイ装置１５に送信する要求信号は、日本語トップ画面を指定するものと、英語トップ画面を指定するものとの２種類として、要求信号から表示言語の種別を判別できるようにするとよい。具体的には、日本語トップ画面と英語トップ画面とで異なるＵＲＬとしてもよい。
【００４１】
あるいは要求信号に表示言語の種別情報を付加して送信してもよい。具体的には、ブラウザ部１１ｈがウェブサーバ装置２１に通知する環境変数の中に、表示言語の種別情報を含めておき、それをウェブサーバ装置２１が判別するようにしてもよい。
【００４２】
なお日本語トップ画面は、日本語サブ画面を参照するリンクを含んでいるが、英語サブ画面を参照するリンクは含んでいない。したがって住戸インターホン１１によって、生活情報の日本語トップ画面が一旦表示された後は、その画面からリンク操作によって表示されるのは常に日本語サブ画面となる。
【００４３】
図６は、インターホンシステムの基本動作を説明するフロー図である。図中、時刻Ｔ１では、住戸インターホン１１で言語操作がされており、選択された表示言語の種別が住戸インターホン１１に登録されている。
【００４４】
時刻Ｔ２では、住戸インターホン１１で生活情報操作がされており、これによりブラウザ部１１ｈが起動され、表示言語の種別と共に生活情報画面の要求信号がゲートウェイ装置１５に送信されている。時刻Ｔ３では、その表示言語の種別に対応した生活情報のトップ画面が返信され、住戸インターホン１１のモニタ画面１１ｂに表示されている。
【００４５】
時刻Ｔ３では、生活情報のトップ画面でリンク操作がされ、これにより生活情報のサブ画面の要求信号がウェブサーバ装置２１に送信され、返信されてきたサブ画面が、住戸インターホン１１のモニタ画面１１ｂに表示されている。
【００４６】
また他の構成として、住戸インターホン１１つまり住宅情報盤は、言語操作部１１ｇで表示言語の種別が選択されると、ブラウザ部１１ｈによって、ウェブサーバ装置２１に接続して、選択された表示言語の種別及び住戸番号を事前登録させる一方、所定操作を受付けると、ブラウザ部１１ｈによって、そのウェブサーバ装置２１に接続して、生活情報画面の要求信号を送信するようにしてもよい。これらの点以外は、上記構成と同様である。
【００４７】
一方、ウェブサーバ装置２１は、住宅情報盤で選択可能な表示言語のそれぞれに対応した複数の生活情報画面を蓄積し、生活情報盤毎に表示言語の種別を登録する言語種別登録部を備えている。そして住宅情報盤から生活情報画面の要求信号を受信すると、その生活情報盤によって登録された表示言語の種別を特定して、その表示言語の種別に対応した生活情報画面を選択して返信すればよい。
【００４８】
図７は、そのような構成とした場合の生活情報画面の参照方法を説明する図である。図のように住戸インターホン１１のブラウザ部１１ｈは、言語種別通知部によって、ゲートウェイ装置１５に表示言語の種別を事前登録する。ゲートウェイ装置１５は、その登録を受ける言語種別登録部１５ａを備え、生活情報の日本語トップ画面と、英語トップ画面とが準備されている。またウェブサーバ装置２１には、生活情報の日本語サブ画面と、英語サブ画面とが準備されている。
【００４９】
ゲートウェイ装置１５は、生活情報画面の要求信号を受信すると、要求してきた住戸インターホン１１の識別情報、あるいはＩＰアドレスなどからその住戸インターホン１１を識別して言語種別登録部を参照することによって、対応した表示言語の種別を特定することができる。
【００５０】
図８は、このような構成としたときのインターホンシステムの基本動作を説明するフロー図である。図中、時刻Ｔ４では、住戸インターホン１１で言語操作がされており、選択された表示言語の種別が住戸インターホン１１に登録され、更にブラウザ部１１ｈが起動され、ゲートウェイ装置１５にも、その表示言語の種別が登録されている。
【００５１】
時刻Ｔ５では、住戸インターホン１１で生活情報操作がされており、これによりブラウザ部１１ｈが起動され、生活情報画面の要求信号がゲートウェイ装置１５に送信されている。これを受けたゲートウェイ装置１５は、住戸インターホン１１に対応して登録されている表示言語の種別を特定し、その表示言語の種別に対応した生活情報のトップ画面が返信され、住戸インターホン１１のモニタ画面１１ｂに表示されている。
【００５２】
時刻Ｔ６では、生活情報のトップ画面でリンク操作がされ、これにより生活情報のサブ画面の要求信号がウェブサーバ装置２１に送信され、返信されてきたサブ画面が、住戸インターホン１１のモニタ画面１１ｂに表示されている。
【符号の説明】
【００５３】
１      インターホンシステム
１１      住宅情報盤
１１ｇ    言語操作部
１１ｈ    ブラウザ部
１５      ゲートウェイ装置
１５ａ    言語種別登録部
１７      インターホン回線
２１      ウェブサーバ装置
【図１】
0005633933.tif 000002
【図２】
0005633933.tif 000003
【図３】
0005633933.tif 000004
【図４】
0005633933.tif 000005
【図５】
0005633933.tif 000006
【図６】
0005633933.tif 000007
【図７】
0005633933.tif 000008
【図８】
0005633933.tif 000009